(57)【特許請求の範囲】
【請求項１】
給送される原稿が積載される原稿積載部と、
前記原稿積載部に原稿が積載されたことを検知する原稿検知手段と
前記原稿積載部に積載された原稿を搬送する原稿搬送手段と、
前記原稿搬送手段によって搬送される原稿の画像を読み取る画像読取手段と、
前記画像読取手段によって読み取られた原稿が排出される原稿排出部と、
前記原稿排出部に排出された原稿を検知する排出原稿検知手段と、
前記原稿排出部を照明するための照明手段と、
前記原稿積載部に原稿が積載されたことを前記原稿検知手段が検知し且つ前記原稿排出部の原稿を前記排出原稿検知手段が検知したら前記照明手段を点灯させ、前記原稿積載部に原稿が積載されたことを前記原稿検知手段が検知しても、前記原稿排出部の原稿を前記排出原稿検知手段が検知しなければ前記照明手段を点灯させないように制御する制御手段と、を有することを特徴とする画像読取装置。
【請求項２】
前記排出原稿検知手段によって原稿が前記原稿排出部からなくなったことが検知されると、前記制御手段は、前記照明手段を消灯させることを特徴とする請求項１に記載の画像読取装置。
【請求項３】
前記制御手段は、前記原稿排出部に排出された原稿がある状態であっても、前記原稿積載部から原稿を給送して前記原稿排出部へ排出する給送動作を前記原稿積載部上の全原稿に対して行うことを終了させてから所定の時間経過後に、前記照明手段を消灯させることを特徴とする請求項２に記載の画像読取装置。
【請求項４】
給送される原稿が積載される原稿積載部と、
前記原稿積載部に原稿が積載されたことを検知する原稿検知手段と、
前記原稿積載部に積載された原稿を搬送する原稿搬送手段と、
前記原稿搬送手段によって搬送される原稿の画像を読み取る画像読取手段と、
前記画像読取手段によって読み取られた原稿が排出される原稿排出部と、
前記原稿排出部を照明するための照明手段と、
前記原稿積載部に原稿が積載されたことを前記原稿検知手段が検知したことに応じて、前記原稿搬送手段が原稿を搬送する前に前記照明手段を点灯させる制御手段と、を有することを特徴とする画像読取装置。
【請求項５】
給送される原稿が積載される原稿積載部と、
前記原稿積載部に原稿が積載されたことを検知する原稿検知手段と、
前記原稿積載部に積載された原稿を搬送する原稿搬送手段と、
前記原稿搬送手段によって搬送される原稿の画像を読み取る画像読取手段と、前記画像読取手段によって読み取られた原稿が排出される原稿排出部と、
前記原稿排出部を照明するための照明手段と、
前記原稿積載部に原稿が積載されたことを前記原稿検知手段が検知したことに応じて、前記照明手段を点灯させる制御手段と、を有することを特徴とする画像読取装置。
【請求項６】
前記原稿排出部に排出された原稿を検知する排出原稿検知手段を有し、
前記原稿積載部に原稿が積載されたことを前記原稿検知手段が検知し且つ前記原稿排出部の原稿を前記排出原稿検知手段が検知したら前記照明手段を点灯させ、前記原稿積載部に原稿が積載されたことを前記原稿検知手段が検知しても、前記原稿排出部の原稿を前記排出原稿検知手段が検知しなければ前記照明手段を点灯させないように前記制御手段が制御することを特徴とする請求項４または５に記載の画像読取装置。
【請求項７】
前記制御手段は、前記原稿積載部に積載された原稿を一枚ずつ給送して前記原稿排出部へ排出する給送動作が行われているときに前記照明手段を発光させ、且つ、前記給送動作の終了に伴って前記照明手段の発光状態を変更することを特徴とする請求項１乃至６のいずれか１項に記載の画像読取装置。
【請求項８】
前記制御手段は、前記給送動作中に前記照明手段を連続点灯させ、前記給送動作の終了に伴って前記照明手段の発光状態を連続点灯から点滅に切り換えることを特徴とする請求項７に記載の画像読取装置。
【請求項９】
前記原稿排出部は、前記原稿積載部の下方に配置されていることを特徴とする請求項１乃至８のいずれか１項に記載の画像読取装置。
【請求項１０】
給送される原稿が積載される原稿積載部と、
前記原稿積載部に原稿が積載されたことを検知する原稿検知手段と、
前記原稿積載部に積載された原稿を搬送する原稿搬送手段と、
前記原稿搬送手段によって搬送される原稿の画像を読み取る画像読取手段と、
前記画像読取手段によって読み取られた原稿が排出される原稿排出部と、
前記原稿排出部に排出された原稿を検知する排出原稿検知手段と、
前記原稿排出部に設けられたランプと、
前記画像読取手段によって読み取られた画像に基づいて記録紙に画像を形成する画像形成部と、
前記原稿積載部に原稿が積載されたことを前記原稿検知手段が検知し且つ前記原稿排出部の原稿を前記排出原稿検知手段が検知したら前記ランプを点灯させ、前記原稿積載部に原稿が積載されたことを前記原稿検知手段が検知しても、前記原稿排出部の原稿を前記排出原稿検知手段が検知しなければ前記ランプを点灯させないように制御する制御手段と、を有することを特徴とする画像形成装置。
【請求項１１】
前記照明手段が点灯している状態において給送開始信号に応じて前記原稿搬送手段は前記原稿積載部に積載された原稿の搬送を開始できることを特徴とする請求項１乃至９のいずれか１項に記載の画像読取装置。
【発明の詳細な説明】
【技術分野】
【０００１】
本発明は画像読取装置に関する。
【背景技術】
【０００２】
従来、デジタル複写機等の画像形成装置においては、原稿の画像を読み取る画像読取装置を備えていて、画像読取装置で読み取った画像に基づいて記録紙に画像を形成している。ここで、画像読取装置には、原稿積載部から読取位置を経由して、原稿積載部の下方に設けられた排出部に原稿を搬送する自動原稿搬送装置（以下、ＡＤＦ（Ａｕｔｏ  Ｄｏｃｕｍｅｎｔ  Ｆｅｅｄｅｒ）という）が設けられている。
【０００３】
ＡＤＦでは、排出部に原稿が排出されて排出部に原稿が積載されるため、ユーザーは排出部から原稿を取り除くことになる。ここで、排出された原稿をユーザーが排出部から取り忘れてしまう問題が生じることが考えられる。
【０００４】
そこで、原稿のユーザーの取り忘れを防止のために、排出部を照射する照明を設ける技術がある（特許文献１参照）。照明によって排出部へ光を照射することで、ユーザーに排出部に原稿が残っているのを気づかせて原稿の取り忘れを防止している。具体的には、排出部に画像が読み取られた原稿が排出されると照明により原稿に光を照射する。そして、省電力化のために、光の照射を開始してから所定時間経過後（例えば１０秒程度後）に照射を終了している。
【先行技術文献】
【特許文献】
【０００５】
【特許文献１】特開２００８−１０９０２号公報
【発明の概要】
【発明が解決しようとする課題】
【０００６】
上記従来例の構成では、ユーザーにとっての利便性は十分でなかった。即ち、原稿が排出部に取り忘れたことを取り忘れたユーザーに対して知らせるためのものであって、前のユーザーが取り忘れてしまった原稿に関して考慮されていない。
【０００７】
本発明では、ユーザーにとって利便性の高い画像読取装置を提供することを目的としている。
【課題を解決するための手段】
【０００８】
本発明の画像読取装置は、給送される原稿が積載される原稿積載部と、前記原稿積載部に原稿が積載されたことを検知する原稿検知手段と、前記原稿積載部に積載された原稿を搬送する原稿搬送手段と、前記原稿搬送手段によって搬送される原稿の画像を読み取る画像読取手段と、前記前記画像読取手段によって読み取られた原稿が排出される原稿排出部と、前記原稿排出部に排出された原稿を検知する排出原稿検知手段と、前記原稿排出部を照明するための照明手段と、前記原稿積載部に原稿が積載されたことを前記原稿検知手段が検知し、且つ前記原稿排出部の原稿を前記排出原稿検知手段が検知したら前記照明手段を点灯させ、前記原稿積載部に原稿が積載されたことを前記原稿検知手段が検知しても、前記原稿排出部の原稿を前記排出原稿検知手段が検知しなければ前記照明手段を点灯させないように制御する制御手段と、を有することを特徴とする画像読取装置である。また、本発明の画像読取装置は、給送される原稿が積載される原稿積載部と、前記原稿積載部に原稿が積載されたことを検知する原稿検知手段と、前記原稿積載部に積載された原稿を搬送する原稿搬送手段と、前記原稿搬送手段によって搬送される原稿の画像を読み取る画像読取手段と、前記画像読取手段によって読み取られた原稿が排出される原稿排出部と、前記原稿排出部を照明するための照明手段と、前記原稿積載部に原稿が積載されたことを前記原稿検知手段が検知したことに応じて前記原稿搬送手段が原稿を搬送する前に前記照明手段を点灯させる制御手段と、を有することを特徴とする画像読取装置である。
また、本発明の画像読取装置は、給送される原稿が積載される原稿積載部と、前記原稿積載部に原稿が積載されたことを検知する原稿検知手段と、前記原稿積載部に積載された原稿を搬送する原稿搬送手段と、前記原稿搬送手段によって搬送される原稿の画像を読み取る画像読取手段と、前記画像読取手段によって読み取られた原稿が排出される原稿排出部と、前記原稿排出部を照明するための照明手段と、前記原稿積載部に原稿が積載されたことを前記原稿検知手段が検知したことに応じて、前記照明手段を点灯させる制御手段と、を有することを特徴とする画像読取装置である。
【発明の効果】
【０００９】
本発明によれば、ユーザーの利便性が向上される。
【図面の簡単な説明】
【００１０】
【図１】本発明の実施形態に係る画像読取装置を備えた複写機の概略構成を示した図。
【図２】本発明の実施形態に係る画像読取装置を備えた複写機の概要を示した図。
【図３】本発明に係るＡＤＦの断面図。
【図４】本発明に係る原稿読取り処理の実施形態を示したフローチャート。
【図５】本発明に係る原稿読取り処理の第２実施形態を示したフローチャート。
【図６】制御ブロック図。
【発明を実施するための形態】
【００１１】
図１は本発明の実施形態に係る画像読取装置を備えた複写機Ａの構成を示した概略図である。図２は、画像読取装置の主要構成部を示す図である。図３は、画像読取装置の断面図である。図４は、実施形態の画像読取装置の原稿読取処理に伴う照明手段としてのランプの動作に関するフローチャートである。図５は第２実施形態でのランプの動作に関するフローチャートである。図６は、画像読取装置の制御ブロック図である。
【００１２】
図１に示すように、画像形成装置としての複写機Ａは、原稿の画像を読取る画像読取装置２と、画像読取装置２によって読取られた画像に濃度補正処理などの画像処理を施す画像処理部３と、を有する。さらに複写機Ａは、画像処理部３により画像処理が施された画像データに基づいたトナー等を記録紙に転写させて定着させる画像形成部４と、複写機Ａの全体を制御する制御部１を備えている。
【００１３】
次に、画像読取装置２の概略構成を、図２の斜視図を用いて説明する。
画像読取装置２は、搬送される原稿の画像を読取るための読取デバイスを内包した画像読取装置本体９０２と、原稿を搬送する原稿搬送装置９０１によって構成されている。
【００１４】
原稿搬送装置９０１は、画像の読み取られる原稿が積載される原稿積載部２１、原稿積載部２１に原稿が積載されたことを検知するための原稿検知手段としての給送原稿検知センサ２２を有する。さらに、原稿搬送装置９０１は、原稿積載部２１の原稿を搬送する原稿搬送部２３と、原稿搬送部２３によって搬送されながら画像読取装置本体９０２によって画像が読み取られた後の原稿が排出されて積載される原稿排出部２５を備える。原稿排出部２５は、原稿積載部２１の下方に配置される。
【００１５】
原稿排出部２５には、照明手段としてのランプ２６と、原稿排出部２５に原稿が排出されたことを検知する排出原稿検知手段としての排出原稿検知センサ２８とが設けられている（図２（Ｂ）参照）。照射手段としてのランプ２６は、排出された原稿に光を照射するように発光する。ランプ２６は、原稿積載部２１の下側に設けられている。ランプ２６は、画像読取装置２（複写機Ａ）を操作するユーザーが立つ側（装置の前側）に配置されている。なお、ここでの「装置の前側」とは、装置を動かすために操作入力する操作部を操作するときにユーザーが立つ側である。
【００１６】
画像読取装置２の構成ならびに動作の読取動作の概略について図３の断面図を用いて説明する。
画像読取装置本体９０２は、上面にプラテンガラス２４が設けられている。画像読取装置本体９０２は、原稿からの反射光を反射する複数のミラー３０３、光を集光するレンズ３０２、画像読取手段としてのＣＣＤ（Ｃｈａｒｇｅ  Ｃｏｕｐｌｅｄ  Ｄｅｖｉｃｅ）３０１を内部に備えている。
【００１７】
原稿搬送部２３は、給送ローラ２０２、分離ローラ２０３、レジストローラ２０５部、搬送ローラ２０６、２０７を備える。原稿搬送部２３はさらに、プラテンローラ２０８、読取後ローラ２０９、排出ローラ２１０を備える。
【００１８】
原稿積載部２１上の原稿２０１は原稿積載部上部に位置する給送ローラ２０２によって原稿搬送装置２の内部へ給送され、分離ローラ２０３と分離パッド２０４によって１枚毎に分離され搬送される。１枚毎に分離された原稿はレジストローラ２０５部で原稿先端を揃えられる。レジストローラ２０５部で原稿先端を揃えられた原稿は搬送ローラ２０６と搬送ローラ２０７で搬送され、プラテンローラ２０８が設けられている読取位置において搬送されながら画像が読取られる。
【００１９】
原稿の画像は、原稿からの反射光が、複数のミラー３０３で反射されてからレンズ３０２によって集光され、ＣＣＤ３０１に導かれることで、読み取られる。原稿の画像が読み取られた後の原稿は、読取後ローラ２０９を通り排出ローラ２１０によって原稿排出部２５に排出される。以上の一連の読み取られる原稿を給送（搬送）する給送動作は、原稿積載部２１に積載された原稿が原稿積載部２１から全て無くなるまで継続される。
【００２０】
図６は、本実施形態に係る画像読取装置２の制御ブロック図である。制御部１には給送原稿検知センサ２２および排出原稿検知センサ２８からの信号、ならびに画像読取装置２の操作部（ここでは複写機Ａの操作部と共通）からの信号が入力される。制御部１は、原稿搬送部２３やランプ２６を制御する。
【００２１】
次に図４のフローチャートに従って、実施形態の画像読取装置２において制御部１により実行される原稿の読取処理に伴うランプ２６の動作を説明する。
【００２２】
原稿積載部２１の原稿を給送原稿検知センサ２２が検知したかどうかを制御部１が判断する（Ｓ３１）。給送原稿検知センサ２２が原稿を検知したら、即ち原稿積載部２１に原稿が積載されたら、（Ｓ３２）へ移行し、制御部１によってランプ２６を点灯させ、原稿排出部２５を照射する。原稿搬送を開始するように制御部１が原稿搬送部２３を制御する（Ｓ３３）。制御部１は、原稿搬送を終了したら（Ｓ３４）、原稿排出部２５へのランプ２６の点灯を終了させる。
【００２３】
以上のように本実施形態では、ユーザーが原稿積載部２１に原稿を積載（セット）すると、照射手段であるランプ２６を点灯させて、原稿排出部２５に光を照射する。よって、前のユーザーが取り忘れた原稿が原稿排出部２５にあったとき、ランプ２６が発光してランプ２６が原稿排出部２５を照射するので、原稿排出部２５に取り忘れられた原稿を次のユーザーに気づかせることができる。
【００２４】
したがって、次のユーザーは取り残された原稿を取り出してから、原稿積載部２１にセットした自分の原稿の読取を行わせる。これにより、原稿排出部２５に取り忘れられた前のユーザーの原稿と、画像読取後に原稿排出部２５に排出された次のユーザーの原稿とが、原稿排出部２５において混在してしまうことを防ぐことができる。また、次のユーザーが、自らの原稿のみならず前のユーザーの原稿をも持っていってしまうことを未然に防ぐことができる。さらに、原稿排出部２５に取り忘れられた前のユーザーの原稿が原稿排出部２５に大量にあって、排紙口で紙詰まりが発生してしまうような不具合の発生を防ぐことができる。
【００２５】
次に図５のフローチャートに従って、複写機Ａにおいて制御部１により実行される原稿読取処理に伴うランプの動作の、本発明の第２実施形態について説明する。
【００２６】
Ｓ４１において、給送原稿検知センサ２２からの信号に基づいて原稿積載部２１に原稿がセットされたかどうかを制御部１が判断する。Ｓ４１での判断により原稿積載部２１に原稿がセットされたと制御部１が判断したら、Ｓ４２へ移行し排出原稿検知センサ２８からの信号に基づいて原稿排出部２５に原稿があるかどうかを制御部１が判断する。
【００２７】
Ｓ４２で原稿排出部２５に原稿有りと検出されるとＳ４３へ移行し、制御部１はランプ２６を点灯させ、ランプ２６に原稿排出部２５を照射させる。
【００２８】
Ｓ４４へ移行し、原稿排出部２５の原稿が取除かれたかどうかを排出原稿検知センサ２８からの信号によって制御部１が判断する。Ｓ４４で原稿排出部２５に原稿が取り除かれていない場合、給紙開始信号を待つ（Ｓ４５）。なお、ここでの給紙開始信号は、操作部における読取（複写）スタートボタンが押されることで発せられる。
【００２９】
給紙開始信号を制御部１が受信したら（Ｓ４５のＹＥＳ）、原稿の給送動作を開始して原稿積載部２１に積載された原稿を一枚ずつ連続的に給送する。原稿の給送動作を行っている最中、ランプ２６は点灯させたままである。
【００３０】
原稿積載部２１に積載された原稿の全てが給送されて原稿積載部２１に原稿がなくなったことを、給送原稿検知センサ２２からの信号に基づいて制御部１が認識すると（Ｓ４７のＹＥＳ）、原稿の給送動作を終了させる（Ｓ４８）。さらに、制御部１は、原稿の給送動作の終了に応じて、ランプ２６が点滅するようにランプ２６を発光させる（Ｓ４９）。即ち、制御部１は、給送動作中に点灯させていたランプ２６の発光状態を、給送動作の終了後に点滅に切り換える。
【００３１】
排出原稿検知センサ２８からの信号によって原稿排出部２５から原稿が取り除かれたと制御部１が判断したら（Ｓ５０でＹＥＳ）、ランプ２６を消灯（ここでは点滅を終了）させる（Ｓ５２）。原稿排出部２５から原稿が取り除かれなくても、給送動作が終了してから所定の照明時間が経過したら（Ｓ５１でＹＥＳ）、ランプ２６を消灯させる（Ｓ５２）。本実施形態では所定の照明時間を１０秒に設定している。
【００３２】
さて、Ｓ４２で原稿排出部２５に原稿がないと制御部１が判断した場合には、そのまま給紙信号を待つ（Ｓ５３）。つまり、Ｓ４２で原稿排出部２５に原稿がないと制御部１が判断した場合には、ランプ２４を点灯させずに給紙開始信号を待つ。
【００３３】
給紙開始信号を受信したら（Ｓ５３でＹＥＳ）、原稿の給送動作を開始する（Ｓ５４）とともに、制御部１はランプ２４を点灯させる。即ち、原稿積載部２１に積載された原稿を一枚づつ連続して給送している給送動作中、ランプ２６は点灯させておく。その後Ｓ４７に移行する。
【００３４】
また、Ｓ４４において、ランプ２６の点灯中であって給紙開始信号を制御部１が受ける前に、排出原稿検知センサ２８からの信号によって原稿排出部２５から原稿が取除かれたと制御部１が判断したら（Ｓ４４でＹＥＳ）、ランプを消灯させて（Ｓ５６）、Ｓ５３に移行する。
【００３５】
以上説明した本実施形態では、ユーザーが原稿積載部２１に原稿を積載（セット）すると、ランプ２６が発光することで、前ユーザーが取り忘れた原稿に次のユーザーが気付くことができるばかりでなく、以下の効果をも奏する。
【００３６】
ユーザーが原稿積載部２１に原稿を積載（セット）したとき、原稿排出部２５に原稿が有る場合に、ランプ２６を発光させる。いいかえると、ユーザーが原稿積載部２１に原稿を積載（セット）しても、原稿排出部２５に原稿がない場合には、ランプ２６を発光させないので、省エネに寄与する。
【００３７】
原稿の給送動作中に原稿排出部２５に設けたランプ２６を点灯させているので排出される箇所がユーザーに容易に認識される。
【００３８】
また、原稿の給送動作中に点灯させていたランプ２６の発光状態を、給送動作終了に応じて点滅に切り換えるように制御部１がランプ２６を制御するという特徴的な制御を行う。この特徴的な制御での発光状態の変更によって、給送動作終了時に、原稿排出部２５にユーザーの注意を惹くことができる。したがって、原稿の排出が終了したことがユーザーに認識させることができるので、原稿排出部から原稿を取り忘れるのを防ぐことができる。言い換えるとこの特徴的な制御は、単に原稿を排出したときにランプを点灯させるだけでは原稿の取り忘れを防ぐのに不十分だったという従来技術の課題を解決する。
【００３９】
なお、上述のいずれの実施形態においてもランプ２６によって直接に原稿排出部に積載された原稿を照らすものとして説明した。しかし、積載された原稿の直接的な照射でなくとも原稿排紙部２５に設けたランプ２６を発光させればユーザーに原稿排紙部２５の確認を促すことに繋がるので、排出されて積載された原稿を直接的にランプで照射することは必ずしも必要ではない。なお、原稿積載部２１の下側である原稿排紙部２５にランプ２６を設けていても、上述したように画像読取装置２（複写機２）の前側にランプ２６を配置すれば、ユーザーがランプ２６の発光を確認しやすくなるので好ましい。さらに、図２に示したようにランプ２６からの光２７を装置の前側へも向くようにランプ２６を設けると、ランプ２６の光にユーザーがより気付きやすくなるので好ましい。
【００４０】
また、上述のいずれの実施形態においても原稿積載部２１に原稿がセットされたことに応じたランプ２６の発光を点灯として説明しているが、原稿がセットされたことに応じたランプ２６の発光状態は点滅であってもよい。
【符号の説明】
【００４１】
２１  原稿積載部
２２  給送原稿検知センサ
２３  原稿搬送部
２５  原稿排出部
２６  ランプ（照射手段）
２７  照射光
２８  排出原稿検知センサ
【図１】
0005885705.tif 000002
【図２】
0005885705.tif 000003
【図３】
0005885705.tif 000004
【図４】
0005885705.tif 000005
【図５】
0005885705.tif 000006
【図６】
0005885705.tif 000007